(57)【特許請求の範囲】
【請求項１】
略円筒形状を有する巻芯と、
前記巻芯の外周に巻き重ねられたテープと、
前記巻芯の両端面及び前記テープの両側面を挟んで対向するように設けられた一対の側板と、を備える、テープ巻重体であって、
前記一対の側板は、
軸方向の間隔が１０ｍｍ以下となるように配置されて、前記巻芯に接着されており、
前記巻芯から、前記巻芯の外周に巻き重ねられた前記テープよりも径方向外側まで延びており、
前記テープの先端が前記一対の側板で挟まれた領域に位置していても、前記一対の側板に挟まれた前記領域に指を押し込んで、前記巻芯に接着された状態のまま前記テープの前記先端を掴むことができる程度に軸方向に拡開可能な弾性を有する、テープ巻重体。
【請求項２】
請求項１に記載のテープ巻重体であって、
前記テープは、粘着テープである、テープ巻重体。
【請求項３】
請求項１または２に記載のテープ巻重体であって、
前記側板は、ＰＥＴ樹脂によって形成されている、テープ巻重体。
【請求項４】
請求項１〜３のいずれか一項に記載のテープ巻重体であって、
前記側板は、外周縁の下端を支持して、単独で鉛直に配置した場合に直立する、テープ巻重体。
【請求項５】
請求項１〜４のいずれか一項に記載のテープ巻重体であって、
前記側板は、剥離及び再接着可能に前記巻芯に接着されている、テープ巻重体。
【請求項６】
請求項１〜５のいずれか一項に記載のテープ巻重体であって、
前記巻芯の外周に巻き重ねられた前記テープの最内層から最外層までの巻重厚さが、前記テープのテープ幅の２倍以上である、テープ巻重体。
【発明の詳細な説明】
【技術分野】
【０００１】
本発明は、巻芯の外周にテープが巻き重ねられたテープ巻重体に関する。
【背景技術】
【０００２】
従来から、巻芯の外周にテープが巻き重ねられたテープ巻重体が知られている。この種のテープ巻重体は、運搬時や保管時等の未使用時に、テープへの物理的な衝撃によって、巻芯の外周に巻き重ねられたテープが軸方向に湾曲し、巻きくずれてしまうことがあった。また、テープが粘着テープである場合には、テープの両側面が、意図せず他の部材に粘着したり、テープの両側面に異物が付着したりしてしまうことがあった。
【０００３】
これらの不具合を解決するための技術として、例えば、特許文献１には、巻芯と、巻芯の外周に巻き重ねられた接着テープと、巻芯を挟んで対向するように設けられた一対の側板と、を有するテープ巻重体が開示されている。
【先行技術文献】
【特許文献】
【０００４】
【特許文献１】特開２０１２−１０２２２０号公報
【発明の概要】
【発明が解決しようとする課題】
【０００５】
特許文献１のテープ巻重体において、テープ幅が細い場合、テープが巻きくずれることを防止するためには、テープ幅に合わせて一対の側板の間隔を小さくすることが好ましい。
【０００６】
しかしながら、特許文献１のテープ巻重体は、一対の側板の間隔が一般的な人間の指よりも小さいと、テープの先端が一対の側板で挟まれた領域に位置した場合に、テープの先端を掴むことが困難となり、使いにくくなってしまうという課題があった。
【０００７】
一方、一対の側板の間隔を一般的な人間の指よりも大きくすると、一対の側板の間隔に対してテープ幅が細い場合、一対の側板で挟まれた領域内でテープが巻きくずれてしまい、テープが巻きくずれることを防止するのが難しくなるという課題があった。
【０００８】
本発明は、巻芯の外周に巻き重ねられたテープが巻きくずれることを防止しつつ、使い易さが向上した、テープ巻重体を提供する。
【課題を解決するための手段】
【０００９】
本発明は、
略円筒形状を有する巻芯と、
前記巻芯の外周に巻き重ねられたテープと、
前記巻芯の両端面及び前記テープの両側面を挟んで対向するように設けられた一対の側板と、を備える、テープ巻重体であって、
前記一対の側板は、
軸方向の間隔が１０ｍｍ以下となるように配置されて、前記巻芯に接着されており、
前記巻芯から、前記巻芯の外周に巻き重ねられた前記テープよりも径方向外側まで延びており、
前記テープの先端が前記一対の側板で挟まれた領域に位置していても、前記一対の側板に挟まれた前記領域に指を押し込んで、前記巻芯に接着された状態のまま前記テープの前記先端を掴むことができる程度に軸方向に拡開可能な弾性を有する。
【発明の効果】
【００１０】
本発明によれば、テープ巻重体は、側板によって、巻芯の外周に巻き重ねられたテープが巻きくずれることを防止しつつ、側板を軸方向に拡開してテープの先端を容易に掴むことができるので、使い易さが向上する。
【図面の簡単な説明】
【００１１】
【図１】本発明のテープ巻重体の斜視図である。
【図２】図１のテープ巻重体を径方向外側から見た図である。
【図３】図１のテープ巻重体を軸方向から見た図である。
【図４】図１のテープ巻重体の側板を軸方向から見た図である。
【図５】図１のテープ巻重体の側板を、下端を支持して鉛直に配置した状態の斜視図である。
【図６】図１のテープ巻重体のテープを引き出す際の状態を径方向外側から見た図である。
【発明を実施するための形態】
【００１２】
以下、本発明のテープ巻重体の一実施形態を、添付図面に基づいて説明する。
【００１３】
図１〜図３に示すように、本実施形態のテープ巻重体１は、略円筒形状を有する巻芯１０と、巻芯１０の外周に巻き重ねられた長尺状のテープ２０と、巻芯１０の軸方向の両端面１１及びテープ２０の両側面２１を挟んで対向するように設けられた一対の側板３０と、を備える。
【００１４】
本実施形態では、巻芯１０は、プラスチック等の樹脂によって形成されている。巻芯１０の大きさは特に限定されないが、本実施形態では、巻芯１０は、外周面１３の直径Ｄ１３が約３４ｍｍであり、内周面１４の直径Ｄ１４が約２８ｍｍとなっており、巻芯１０の径方向厚さＴ１０は、約３ｍｍとなっている。巻芯１０の外周面１３は、軸方向長さＬ１３が１０ｍｍ以下であることが好ましく、本実施形態では、軸方向長さＬ１３が約２ｍｍとなっている。
【００１５】
テープ２０は、長尺状であり、一端側が巻芯１０の外周面１３に固定され、巻芯１０の外周に巻き重ねられている。本実施形態では、テープ２０は、テープ巻重体１の内周側である内周面２４に粘着剤層が形成された粘着テープである。本実施形態では、テープ２０は、テープ幅Ｗ２０が約２ｍｍとなっている。このとき、巻芯１０の外周面１３の軸方向長さＬ１３は、テープ２０のテープ幅Ｗ２０以上となっている。これにより、テープ２０を、巻芯１０の外周面１３から軸方向にはみ出すことなく、巻芯１０の外周に巻き重ねることができる。
【００１６】
巻芯１０に巻き重ねられたテープ２０の最内層から最外層までの巻重厚さＴ２０は、テープ２０のテープ幅Ｗ２０の２倍以上となっている。本実施形態では、巻重厚さＴ２０は、約８ｍｍであり、約２ｍｍであるテープ幅Ｗ２０の約４倍となっている。なお、巻重厚さＴ２０は、テープ２０を引き出して使用すると、使用したテープ２０の長さに応じて徐々に減少していく。
【００１７】
図４及び図５に示すように、一対の側板３０は、互いに同形状であり、それぞれ略円環形状を有する薄板である。本実施形態では、側板３０は、外周縁３３の直径Ｄ３３が約５４ｍｍであり、内周縁３４の直径Ｄ３４が約２６ｍｍとなっている。側板３０は、厚さＴ３０が略均一であり、３０μｍ以上２５０μｍ以下となっている。
【００１８】
一対の側板３０は、低コストかつ加工が容易な透明のＰＥＴ樹脂によって形成されている。これにより、一対の側板３０を、安価かつ容易に製造できる。また、一対の側板３０が透明であるので、巻芯１０に巻き重ねられたテープ２０を容易に視認できる。
【００１９】
側板３０の一方側の面には、剥離及び再接着可能な接着剤層３１が、内周縁３４に沿って、径方向幅約１．２ｍｍの略円環状に設けられている。
【００２０】
また、図５に示すように、側板３０は、外周縁３３の下端を支持して、単独で鉛直に配置した場合に直立する。
【００２１】
図１〜図３に戻って、一対の側板３０は、巻芯１０の軸方向の両端面１１及びテープ２０の両側面２１を挟んで対向するように配置されている。一対の側板３０は、略円環形状の円環中心が、巻芯１０の略円筒形状の円筒中心と略一致するように配置されている。したがって、一対の側板３０の軸方向の間隔Ｄ３０は、巻芯１０の外周面１３の軸方向長さＬ１３と略同一であり、１０ｍｍ以下であることが好ましく、本実施形態では、約２ｍｍとなっている。したがって、一対の側板３０の軸方向の間隔Ｄ３０は、一般的な人間の指の太さよりも細くなっている。そして、一対の側板３０は、巻芯１０から、巻芯１０の外周に巻き重ねられたテープ２０の最外層よりも径方向外側まで延びている。
【００２２】
さらに、一対の側板３０の接着剤層３１が、剥離及び再接着可能に巻芯１０の軸方向の両端面１１にそれぞれ接着することによって、一対の側板３０は、巻芯１０に剥離及び再接着可能に接着されている。
【００２３】
したがって、巻芯１０の外周に巻き重ねられたテープ２０は、一対の側板３０に挟まれた領域Ｓに位置することとなる。そのため、巻芯１０の外周に巻き重ねられたテープ２０は、一対の側板３０によって、軸方向に湾曲することが制限される。これにより、運搬時や保管時等、テープ巻重体１の未使用時において、巻芯１０の外周に巻き重ねられたテープ２０が巻きくずれることを防止できる。
【００２４】
さらに、一対の側板３０は、外周縁３３の下端を支持して、単独で鉛直に配置した場合に直立する剛性を有するので、運搬時や保管時等、テープ巻重体１の未使用時において、一対の側板３０が湾曲することなく、より確実にテープ２０が巻きくずれることを防止できる。
【００２５】
また、一対の側板３０は、テープ２０の両側面２１を挟んで対向するように配置されており、巻芯１０から、巻芯１０の外周に巻き重ねられたテープ２０の最外層よりも径方向外側まで延びているので、テープ２０の両側面２１は、一対の側板３０に覆われている。これにより、内周面２４に粘着剤層が形成された粘着テープであるテープ２０の両側面２１（巻芯１０の軸方向における両端面）が、意図せず他の部材に粘着したり、テープ２０の両側面２１に異物が付着したりすることを防止できる。
【００２６】
このように、テープ巻重体１は、一対の側板３０によって、運搬時や保管時等の未使用時において、テープ２０が巻きくずれることを防止でき、また、粘着テープであるテープ２０の両側面２１が、意図せず他の部材に粘着したり、テープ２０の両側面２１に異物が付着したりすることを防止できるので、優れた保管性を有する。
【００２７】
さらに、図６に示すように、一対の側板３０は、巻芯１０に接着された状態で、軸方向に拡開可能な弾性を有している。したがって、一対の側板３０は、巻芯１０に接着された状態で、軸方向に拡開する。これにより、テープ２０の先端２５が一対の側板３０で挟まれた領域Ｓに位置していても、一対の側板３０を軸方向に拡開してテープ２０の先端２５を容易に掴むことができる。したがって、一対の側板３０を巻芯１０に接着したまま、巻芯１０の外周に巻き重ねられたテープ２０を引き出して使用することができるので、テープ２０の使用時に一対の側板３０を巻芯１０から剥離する必要がない。これにより、一対の側板３０を巻芯１０に接着したままテープ２０を使用することができるので、テープ巻重体１の使い易さが向上し、さらに、使用時においてもテープ２０が巻きくずれることを防止できる。
【００２８】
本実施形態では、一対の側板３０の軸方向の間隔Ｄ３０は、１０ｍｍ以下であることが好ましく、本実施形態では、約２ｍｍとなっているので、一般的な人間の指の太さよりも狭くなっている。この場合にテープ２０の先端２５が一対の側板３０で挟まれた領域Ｓに位置していても、一対の側板３０を軸方向に拡開しながら、一対の側板３０に挟まれた領域Ｓに指を押し込んで、テープ２０の先端２５を容易に掴むことができる。
【００２９】
また、本実施形態では、テープ２０は、内周面２４に粘着剤層が形成された粘着テープであるので、テープ２０の先端２５は、巻芯１０の外周に巻き重ねられたテープ２０の外周面２３に粘着している状態であることが多く、一対の側板３０で挟まれた領域Ｓに位置しやすい。この場合でも、一対の側板３０を巻芯１０に接着したまま、テープ２０の先端２５を容易に掴むことができる。
【００３０】
また、巻芯１０に巻き重ねられたテープ２０の最内層から最外層までの巻重厚さＴ２０は、テープ２０のテープ幅Ｗ２０の２倍以上であり、本実施形態では、約４倍であるので、テープ巻重体１は、運搬時や保管時等の未使用時においても、テープ２０を引き出して使用する使用時においても、テープ２０が巻きくずれしやすい。この場合でも、運搬時や保管時等の未使用時に、テープ２０が巻きくずれることを防止でき、また、テープ２０を引き出して使用する使用時に、テープ２０が巻きくずれることを防止しつつ、一対の側板３０を巻芯１０に接着したまま軸方向に拡開して、テープ２０の先端２５を容易に掴むことができる。
【００３１】
また、一対の側板３０は、剥離及び再接着可能に巻芯１０に接着されているので、一対の側板３０の一方または両方を剥離して、テープ２０の先端２５を掴むこともできる。そして、一対の側板３０の一方または両方を剥離した後、再び巻芯１０に接着することができるので、一度剥離した一対の側板３０の一方または両方を、巻芯１０に再接着することによって、一対の側板３０をテープ巻重体１に再配置できる。
【００３２】
以上、本発明の実施形態を説明したが、本発明は上記実施形態に限定されるものではなく、適宜、変形、改良、等が可能である。
【００３３】
例えば、本実施形態では、巻芯１０は、プラスチック等の樹脂によって形成されるものとしたが、巻芯１０を形成する材料は、製造、保管、及び運搬時に十分な剛性及び耐久性があれば特に限定されず、例えば、紙であってもよい。
【００３４】
また、例えば、本実施形態では、テープ２０は、テープ巻重体１の内周側である内周面２４に粘着剤層が形成された粘着テープであるものとしたが、テープ２０は、粘着テープに限定されず、例えば、紙テープやフィルムテープ等であってもよい。
【００３５】
また、例えば、本実施形態では、一対の側板３０は、ＰＥＴ樹脂によって形成されているものとしたが、一対の側板３０を形成する材料は、ＰＥＴ樹脂以外であってもよい。
【００３６】
また、例えば、本実施形態では、巻芯１０に巻き重ねられたテープ２０の最内層から最外層までの巻重厚さＴ２０は、テープ２０のテープ幅Ｗ２０の２倍以上であるものとしたが、巻芯１０に巻き重ねられたテープ２０の最内層から最外層までの巻重厚さＴ２０は、テープ２０のテープ幅Ｗ２０の２倍未満であってもよい。特に、巻重厚さＴ２０は、テープ２０を引き出して使用すると、使用したテープ２０の長さに応じて徐々に減少していくが、テープ巻重体１は、任意の巻重厚さＴ２０で使用可能である。
【００３７】
また、本明細書には少なくとも以下の事項が記載されている。なお、括弧内には、上記した実施形態において対応する構成要素等を示しているが、これに限定されるものではない。
【００３８】
（１）  略円筒形状を有する巻芯（巻芯１０）と、
前記巻芯の外周に巻き重ねられたテープ（テープ２０）と、
前記巻芯の両端面（端面１１）及び前記テープの両側面（側面２１）を挟んで対向するように設けられた一対の側板（側板３０）と、を備える、テープ巻重体（テープ巻重体１）であって、
前記一対の側板は、
前記巻芯に接着されており、
前記巻芯から、前記巻芯の外周に巻き重ねられた前記テープよりも径方向外側まで延びており、
前記巻芯に接着された状態で、軸方向に拡開可能な弾性を有する、テープ巻重体。
【００３９】
（１）によれば、一対の側板は、巻芯から、巻芯の外周に巻き重ねられたテープよりも径方向外側まで延びているので、巻芯の外周に巻き重ねられたテープが巻きくずれることを防止できる。
さらに、一対の側板は、巻芯に接着された状態で、軸方向に拡開可能な弾性を有するので、テープの先端が一対の側板で挟まれた領域に位置していても、一対の側板を軸方向に拡開してテープの先端を容易に掴むことができる。したがって、一対の側板を巻芯に接着したまま、巻芯の外周に巻き重ねられたテープを引き出して使用することができるので、テープ使用時に一対の側板を巻芯から剥離する必要がない。これにより、一対の側板を巻芯に接着したままテープを使用することができるので、テープ巻重体の使い易さが向上し、さらに、使用時においてもテープが巻きくずれることを防止できる。
【００４０】
（２）  （１）に記載のテープ巻重体であって、
前記テープは、粘着テープである、テープ巻重体。
【００４１】
（２）によれば、テープは、粘着テープであるので、テープの先端は、巻芯の外周に巻き重ねられたテープに粘着している状態であることが多く、一対の側板で挟まれた領域に位置しやすい。この場合でも、一対の側板を巻芯に接着したまま、テープの先端を容易に掴むことができる。また、一対の側板によって、粘着テープであるテープの両側面が、意図せず他の部材に粘着したり、テープの両側面に異物が付着したりすることを防止できる。
【００４２】
（３）  （１）または（２）に記載のテープ巻重体であって、
前記側板は、ＰＥＴ樹脂によって形成されている、テープ巻重体。
【００４３】
（３）によれば、側板は、低コストかつ加工が容易なＰＥＴ樹脂によって形成されているので、側板を安価かつ容易に製造できる。
【００４４】
（４）  （１）〜（３）のいずれかに記載のテープ巻重体であって、
前記側板は、外周縁（外周縁３３）の下端を支持して、単独で鉛直に配置した場合に直立する、テープ巻重体。
【００４５】
（４）によれば、側板は、外周縁の下端を支持して、単独で鉛直に配置した場合に直立する剛性を有するので、より確実にテープが巻きくずれることを防止できる。
【００４６】
（５）  （１）〜（４）のいずれかに記載のテープ巻重体であって、
前記側板は、剥離及び再接着可能に前記巻芯に接着されている、テープ巻重体。
【００４７】
（５）によれば、一対の側板は、剥離及び再接着可能に巻芯に接着されているので、一対の側板の一方または両方を剥離して、テープの先端を掴むこともできる。そして、一対の側板の一方または両方を剥離した後、再び巻芯に接着することができるので、一度剥離した一対の側板の一方または両方を、巻芯に再接着することによって、一対の側板をテープ巻重体に再配置できる。
【００４８】
（６）  （１）〜（５）のいずれかに記載のテープ巻重体であって、
前記一対の側板は、軸方向の間隔（間隔Ｄ３０）が１０ｍｍ以下となるように配置されている、テープ巻重体。
【００４９】
（６）によれば、一対の側板の軸方向の間隔は、１０ｍｍ以下であるので、一般的な人間の指の太さよりも狭くなっている。この場合にテープの先端が一対の側板で挟まれた領域に位置していても、一対の側板を軸方向に拡開しながら、一対の側板に挟まれた領域に指を押し込んで、テープの先端を容易に掴むことができる。
【００５０】
（７）  （１）〜（６）のいずれかに記載のテープ巻重体であって、
前記巻芯の外周に巻き重ねられた前記テープの最内層から最外層までの巻重厚さ（巻重厚さＴ２０）が、前記テープのテープ幅（テープ幅Ｗ２０）の２倍以上である、テープ巻重体。
【００５１】
（７）によれば、巻芯の外周に巻き重ねられたテープの最内層から最外層までの巻重厚さが、テープのテープ幅の２倍以上であるので、テープ巻重体は、運搬時や保管時等の未使用時においても、テープを引き出して使用する使用時においても、テープが巻きくずれしやすい。この場合でも、運搬時や保管時等の未使用時に、テープが巻きくずれることを防止でき、また、テープを引き出して使用する使用時に、テープが巻きくずれることを防止しつつ、一対の側板を巻芯に接着したまま軸方向に拡開して、テープの先端を容易に掴むことができる。
【符号の説明】
【００５２】
１  テープ巻重体
１０  巻芯
１１  端面
２０  テープ
２１  側面
３０  側板
３３  外周縁
Ｄ３０  間隔
Ｔ２０  巻重厚さ
Ｗ２０  テープ幅
【要約】
【課題】巻芯の外周に巻き重ねられたテープが巻きくずれることを防止しつつ、使い易さが向上した、テープ巻重体を提供する。
【解決手段】テープ巻重体１は、略円筒形状を有する巻芯１０と、巻芯１０の外周に巻き重ねられたテープ２０と、巻芯１０の両端面１１及びテープ２０の両側面２１を挟んで対向するように設けられた一対の側板３０と、を備える。一対の側板３０は、巻芯１０に接着されており、巻芯１０から、巻芯１０の外周に巻き重ねられたテープ２０よりも径方向外側まで延びており、巻芯１０に接着された状態で、軸方向に拡開可能な弾性を有する。
【選択図】図６【図１】
0006836290.tif 000002
【図２】
0006836290.tif 000003
【図３】
0006836290.tif 000004
【図４】
0006836290.tif 000005
【図５】
0006836290.tif 000006
【図６】
0006836290.tif 000007